(57)【要約】【課題】長大で超重量物の熱交換器である給水加熱器を、比較的容易に取り扱うことができ、作業者の労力を低減し、短期間で作業を行うことができる給水加熱器の搬入方法及び搬出方法を提供する。【解決手段】円筒状の給水加熱器１を、建屋内の所定の設置箇所に設置するための搬入方法で、建屋の側壁に搬入用の開口６を形成すると共に、建屋外に屋外搬送用構台８を設ける。また、建屋内に設置箇所に通じる屋内搬送用構台７を設けると共に、開口６に隣接して、昇降テーブル１０を設ける。給水加熱器を屋外搬送用構台８上にて浮上搬送システム上１４により、浮上状態で搬送し、開口６を通して昇降テーブル１０の上面１０ａ上に移動させる。その後、昇降テーブル１０を下降させ、浮上搬送システム１４により屋内搬送用構台７上を浮上状態で設置箇所に向って搬送させる。設置箇所近くにて、給水加熱器１の少なくとも前後２箇所を設置用の台車２１上に順次載せ替え、この台車２１により所定の設置箇所に設置させる。【選択図】図１
2008138997.tif 000002
【特許請求の範囲】
【請求項１】
円筒状の給水加熱器を、建屋内の所定の設置箇所に設置するための給水加熱器の搬入方法であって、
前記建屋の側壁に搬入用の開口を形成すると共に、前記建屋外に、この開口に到る屋外搬送用構台を設け、
前記建屋内には、この開口から前記所定の設置箇所に通じる屋内搬送用構台を設けると共に、前記開口に隣接して、上面が、この屋内搬送用構台の上面と等しい高さと、前記屋外搬送用構台の上面と等しい高さとにそれぞれ位置するように上下動可能に構成された昇降テーブルを設け、
前記給水加熱器を横向きの状態で、前記屋外搬送用構台上において浮上搬送システム上に載置させ、この浮上搬送システムにより前記給水加熱器を、前記開口に向って浮上状態で搬送し、この開口を通して、屋外搬送用構台上面と等しい高さに上昇した前記昇降テーブルの上面に移動させ、
前記昇降用テーブルを、その上面が前記屋内搬送用構台上面と等しい高さまで下降させ、さらに、前記浮上搬送システムにより屋内搬送用構台上を浮上状態で前記所定の設置箇所に向って搬送させ、
この所定の設置箇所近くにおいて、前記給水加熱器の少なくとも前後２箇所を設置用の台車上に順次載せ替え、この台車により前記所定の設置箇所に設置させる
ことを特徴とする給水加熱器の搬入方法。
【請求項２】
建屋内の所定の設置箇所に設置された円筒状の給水加熱器を、この所定の設置箇所から搬出するための方法であって、
前記建屋の側壁に搬入用の開口を形成すると共に、前記建屋外に、この開口に到る屋外搬送用構台を設け、
前記建屋内には、この開口から前記所定の設置箇所に通じる屋内搬送用構台を設けると共に、前記開口に隣接して、上面が、この屋内搬送用構台の上面と等しい高さと、前記屋外搬送用構台の上面と等しい高さとにそれぞれ位置するように上下動可能に構成された昇降テーブルを設け、
前記所定の設置箇所において設置用の台車上に設置されている前記給水加熱器を前記屋内搬送用構台上に移動させ、この屋内搬送用構台上に配置された浮上搬送システム上に載せ替え、
この浮上搬送システム上に載せ替えられた給水加熱器を浮上状態で前記開口に向って搬送し、この屋内搬送用構台上面と等しい高さに位置させた前記昇降テーブル上に移動させ、
この昇降用テーブルの上面を、前記屋外搬送用構台上面と等しい高さまで上昇させた後、前記浮上搬送システムにより前記開口を通って浮上状態で屋外搬送用構台上を所定位置に搬送する、
ことを特徴とする給水加熱器の搬出方法。
【請求項３】
円筒状の給水加熱器を、建屋内の所定の設置箇所に設置するための給水加熱器の搬入方法であって、
前記建屋の側壁に搬入用の開口を形成すると共に、前記建屋外に、この開口に到る屋外搬送用構台を設け、
前記建屋内には、この開口から前記所定の設置箇所に通じる屋内搬送用構台を設けると共に、門形を成し、その門内にて前記給水加熱器の外周部分を吊支可能な少なくとも２台のリフトユニットを、前記開口に隣接して設け、
前記給水加熱器を横向きの状態で、前記屋外搬送用構台上において浮上搬送システム上に載置させ、この浮上搬送システムにより前記給水加熱器を前記開口に向って浮上状態で搬送し、この開口を通して前記建屋内に移動させ、少なくともその一部を建屋内に配置した仮受け用の架台上に載置した状態で、前記給水加熱器の外周部分の少なくとも前後２箇所を前記リフトユニットに吊支させ、
前記リフトユニットにより吊支された前記給水加熱器を、屋内搬送用構台上に配置させた浮上搬送システム上に下降させて前記吊支を解除し、この浮上搬送システムにより屋内搬送用構台上を浮上状態で前記所定の設置箇所に向って搬送させ、
この所定の設置箇所近くにおいて、前記給水加熱器の少なくとも前後２箇所を設置用の台車上に順次載せ替え、この台車により前記所定の設置箇所に設置させる
ことを特徴とする給水加熱器の搬入方法。
【請求項４】
建屋内の所定の設置箇所に設置された円筒状の給水加熱器を、この所定の設置箇所から搬出するための方法であって、
前記建屋の側壁に搬入用の開口を形成すると共に、前記建屋外に、この開口に到る屋外搬送用構台を設け、
前記建屋内には、この開口から前記所定の設置箇所に通じる屋内搬送用構台を設けると共に、門形を成し、その門内にて前記給水加熱器の外周部分を吊支可能な少なくとも２台のリフトユニットを、前記開口に隣接して設け、
前記所定の設置箇所において設置用の台車上に設置されている前記給水加熱器を前記屋内搬送用構台上に移動させ、この屋内搬送用構台上に配置された浮上搬送システム上に載せ替え、
この浮上搬送システム上に載せ替えられた給水加熱器を浮上状態で前記開口に向って搬送し、この開口に隣接した位置にて前記リフトユニットにより給水加熱器の少なくとも前後２箇所を吊支して、前記屋外搬送用構台上面よりやや高い高さまで上昇させ、
この上昇位置で、前記給水加熱器の少なくとも一部を仮受け用の架台で支持させながら、この給水加熱器を、屋外搬送用構台上を搬送する浮上ユニット上に載せ替え、前記浮上搬送システムにより前記開口を通って浮上状態で屋外搬送用構台上を所定位置に搬送する
ことを特徴とする給水加熱器の搬出方法。
【発明の詳細な説明】
【技術分野】
【０００１】
本発明は、円筒状の給水加熱器を、建屋内の所定の設置箇所に設置するための給水加熱器の搬入方法、及び建屋内の所定の設置箇所に設置された円筒状の給水加熱器を、この所定の設置箇所から搬出するための方法に関する。
【背景技術】
【０００２】
蒸気タービン設備には復水器組込み型の給水加熱器が用いられる。この給水加熱器は、長期間の使用により劣化が生じるので更新工事が必要となる。更新工事は、既設の給水加熱器を徹去し、建屋外へ搬出する作業、及び新製給水加熱器の建屋内への搬入、据付作業（例えば、特許文献１参照）を要するが、これらは非常に困難な作業であった。
【特許文献１】特開平１１−３２５４０５号公報
【発明の開示】
【発明が解決しようとする課題】
【０００３】
すなわち、給水加熱器は、長大で超重量物の熱交換器であり、据付場所は復水器の上部本体内という高所で狭隘な場所である。したがって、当該の給水加熱器の建屋内への搬入、または建屋外への搬出、建屋内搬送、及び復水器への組込み作業が困難であり、作業者の労力を低減し、容易にかつ短期間で作業を行うことができる工法の実現が望まれていた。
【０００４】
本発明の目的は、長大で超重量物の熱交換器である給水加熱器を、比較的容易に取り扱うことができ、作業者の労力を低減し、短期間で作業を行うことができる給水加熱器の搬入方法及び搬出方法を提供することにある。
【課題を解決するための手段】
【０００５】
本発明による給水加熱器の搬入方法は、円筒状の給水加熱器を、建屋内の所定の設置箇所に設置するための給水加熱器の搬入方法であって、前記建屋の側壁に搬入用の開口を形成すると共に、前記建屋外に、この開口に到る屋外搬送用構台を設け、前記建屋内には、この開口から前記所定の設置箇所に通じる屋内搬送用構台を設けると共に、前記開口に隣接して、上面が、この屋内搬送用構台の上面と等しい高さと、前記屋外搬送用構台の上面と等しい高さとにそれぞれ位置するように上下動可能に構成された昇降テーブルを設け、前記給水加熱器を横向きの状態で、前記屋外搬送用構台上において浮上搬送システム上に載置させ、この浮上搬送システムにより前記給水加熱器を、前記開口に向って浮上状態で搬送し、この開口を通して、屋外搬送用構台上面と等しい高さに上昇した前記昇降テーブルの上面に移動させ、前記昇降用テーブルを、その上面が前記屋内搬送用構台上面と等しい高さまで下降させ、さらに、前記浮上搬送システムにより屋内搬送用構台上を浮上状態で前記所定の設置箇所に向って搬送させ、この所定の設置箇所近くにおいて、前記給水加熱器の少なくとも前後２箇所を設置用の台車上に順次載せ替え、この台車により前記所定の設置箇所に設置させることを特徴とする。
【０００６】
また、本発明による給水加熱器の搬出方法は、建屋内の所定の設置箇所に設置された円筒状の給水加熱器を、この所定の設置箇所から搬出するための方法であって、前記所定の設置箇所において設置用の台車上に設置されている前記給水加熱器を前記屋内搬送用構台上に移動させ、この屋内搬送用構台上に配置された浮上搬送システム上に載せ替え、この浮上搬送システム上に載せ替えられた給水加熱器を浮上状態で前記開口に向って搬送し、この屋内搬送用構台上面と等しい高さに位置させた前記昇降テーブル上に移動させ、この昇降用テーブルの上面を、前記屋外搬送用構台上面と等しい高さまで上昇させた後、前記浮上搬送システムにより前記開口を通って浮上状態で屋外搬送用構台上を所定位置に搬送することを特徴とする。
【０００７】
また、本発明による給水加熱器の搬入方法は、前記建屋の側壁に搬入用の開口を形成すると共に、前記建屋外に、この開口に到る屋外搬送用構台を設け、前記建屋内には、この開口から前記所定の設置箇所に通じる屋内搬送用構台を設けると共に、門形を成し、その門内にて前記給水加熱器の外周部分を吊支可能な少なくとも２台のリフトユニットを、前記開口に隣接して設け、前記給水加熱器を横向きの状態で、前記屋外搬送用構台上において浮上搬送システム上に載置させ、この浮上搬送システムにより前記給水加熱器を前記開口に向って浮上状態で搬送し、この開口を通して前記建屋内に移動させ、少なくともその一部を建屋内に配置した仮受け用の架台上に載置した状態で、前記給水加熱器の外周部分の少なくとも前後２箇所を前記リフトユニットに吊支させ、前記リフトユニットにより吊支された前記給水加熱器を、屋内搬送用構台上に配置させた浮上搬送システム上に下降させて前記吊支を解除し、この浮上搬送システムにより屋内搬送用構台上を浮上状態で前記所定の設置箇所に向って搬送させ、この所定の設置箇所近くにおいて、前記給水加熱器の少なくとも前後２箇所を設置用の台車上に順次載せ替え、この台車により前記所定の設置箇所に設置させることを特徴とする。
【０００８】
さらに、本発明による給水加熱器の搬出方法は、所定の設置箇所において設置用の台車上に設置されている前記給水加熱器を前記屋内搬送用構台上に移動させ、この屋内搬送用構台上に配置された浮上搬送システム上に載せ替え、この浮上搬送システム上に載せ替えられた給水加熱器を浮上状態で前記開口に向って搬送し、この開口に隣接した位置にて前記リフトユニットにより給水加熱器の少なくとも前後２箇所を吊支して、前記屋外搬送用構台上面よりやや高い高さまで上昇させ、この上昇位置で、前記給水加熱器の少なくとも一部を仮受け用の架台で支持させながら、この給水加熱器を、屋外搬送用構台上を搬送する浮上ユニット上に載せ替え、前記浮上搬送システムにより前記開口を通って浮上状態で屋外搬送用構台上を所定位置に搬送することを特徴とする。
【発明の効果】
【０００９】
本発明によれば、長大で超重量物の熱交換器である給水加熱器を、浮上搬送システムや昇降テーブル或いはリフトユニットなどを用いることにより、比較的容易に取り扱うことができ、作業者の労力を低減し、短期間で作業を行うことができる。
【発明を実施するための最良の形態】
【００１０】
以下、本発明の一実施の形態について図面を用いて説明する。
【００１１】
図１は、新規の給水加熱器を所定の設置箇所に搬入する場合を説明する図である。図１において、１は円筒状の給水加熱器で、発電所建屋内の所定の設置箇所、図の例では、復水器２の上部本体２ａ内に、横向きの状態で設置される。６は搬入用の開口で、図示のように建屋の側壁に形成されている。８は屋外搬送用構台で、建屋外の、開口６に到る場所に設置され、給水加熱器１の搬送に用いられる。７は屋内搬送用構台で、建屋内の開口６から前記所定の設置箇所に通じる搬送経路を構成する。
【００１２】
１０は昇降テーブルで、建屋内の、開口６に隣接して設置され、その上面（テーブル面）１０ａが、屋内搬送用構台７の上面と等しい高さと、前記屋外搬送用構台８の上面と等しい高さとに、それぞれ位置するように上下動可能に構成されている。この昇降テーブル１０は、図３で示すように、平面状をなすテーブル面１０ａを昇降駆動するリフトユニット１０ｂ、及びこのリフトユニット１０ｂに対する油圧制御ユニット１０ｃから構成される。
【００１３】
１４は浮上搬送システムで、前記屋内搬送用構台７及び屋外搬送用構台８上において、前記給水加熱器１を横向きの状態で載支し、浮上状態で任意の方向に搬送する。この浮上搬送システム１４は、図２で示すように空気浮上装置１４a及び駆動装置１４ｂを有し、これらにより前部側浮上搬送ユニット１４ｃ及び後部側浮上搬送ユニット１４ｄを構成する。同期制御装置１４ｅは、２つの駆動装置１４ｂを互いに同期して動作させる。
【００１４】
ここで、空気浮上装置１４ａは、その上部に給水加熱器１を載支した状態で高圧空気により所定高さ浮上する。また、駆動装置１４ｂは、図示しないが、空気圧などにより地表面に圧接する車輪を有し、この車輪を空気圧モータなどにより回転させることで、前部側浮上搬送ユニット１４ｃ及び後部側浮上搬送ユニット１４ｄを任意の方向に移動させる。したがって、その上部に載支された給水加熱器１を任意の方向に搬送することができる。
【００１５】
給水加熱器１の設置場所である復水器上部本体２ａの内部には、給水加熱器１の設置方向に沿って走行レール２４が設置されている。この走行レール２４上には、給水加熱器１の設置用の台車２１が、前部側及び後部側として２個設置されている。給水加熱器１の外周部には図４で示すように、台車受け金物２２が左右両側及び長さ方向前後にそれぞれ設けられており、この金物２２により調整板２３を介して台車２１上に載置される。
【００１６】
また、この給水加熱器１の外周の、別の左右両側及び長さ方向前後位置に、ジャッキ受け金物１９が設けられており、走行レール２４側に設けられた芯出し用のジャッキ１８の先端と当接する。この芯出し用のジャッキ１８は、横送り装置２０と共に走行レール上に移動可能に設置されている。これら芯出し用のジャッキ１８及び横送り装置２０は、前記台車２１と所定の位置関係で配置されている。すなわち、給水加熱器１の台車受け金物２２が台車２１上に設置されると、ジャッキ１８の先端がジャッキ受け金物１９と対向するよう位置設定されている。
【００１７】
２７は牽引装置で、台車２１と連結し、台車２１上に載置された給水加熱器１を所定の設置（据付）位置に移動させる。
【００１８】
上記構成において、円筒状の給水加熱器１を、建屋内の所定の設置箇所、すなわち、復水器２の上部本体２ａ内に、横向きの状態で設置する場合、先ず、建屋の側壁に搬入用の開口６を形成する。この開口６は予め穿設し、シャッタなどで覆っていたものを、シャッタなどを開放操作することで形成してもよい。また、建屋外には、この開口６に到る屋外搬送用構台８を設置すると共に、建屋内にも、この開口６にも、屋内搬送用構台７を設置する。さらに、建屋内には、開口６に隣接して昇降テーブル１０を設置する。
【００１９】
この状態で、屋外搬送用構台８上に浮上搬送システム１４を配置し、図示しないクレーンなどにより、その上に給水加熱器１を横向きの状態で載置させる。浮上搬送システム１４は、前後の浮上搬送ユニット１４ｃ，１４ｄにより給水加熱器１を屋外搬送用構台８上で浮上させ、前記開口６に向って搬送する。
【００２０】
このとき、昇降テーブル１０の上面１０ａのレベルは、油圧制御ユニット１０ｃを操作し、リフトユニット１０ｂによって屋外搬送用構台８の上面と同一レベルにしておく。
【００２１】
浮上搬送システム１４により屋外搬送用構台８上を移動した給水加熱器１は、開口６を通って昇降テーブル１０の上面１０ａ上に載置される。そして、浮上搬送システム１４の浮上力を断って、給水加熱器１を昇降テーブル１０上に固定する。
【００２２】
次に昇降用テーブル１０の上面１０ａを、屋内搬送用構台７の上面と等しい高さまで下降させる。この状態で、浮上搬送システム１４により給水加熱器１を再び浮上させ、屋内搬送用構台７上を所定の設置箇所に向って搬送させる。
【００２３】
上記建屋内の搬送ルート例を図５に示す。図５の例では復水器２が３台並設されており、例えば、左側の上部本体２ａ内に給水加熱器１を設置する場合は、開口６から搬入された給水加熱器１を、浮上搬送システム１４により浮上させて屋内用搬送構台７上を搬送させる。図の例では、建屋内の支柱等の構造物（搬送に対する障害物でもある）を避けながら給水加熱器１の前後が反転するように旋回させ、その水室部が復水器上部本体２ａの開口部２ｂと対向する位置まで搬送する。
【００２４】
このようにして、浮上搬送システム１４により給水加熱器１を所定の設置箇所近くに搬送した後、給水加熱器１の少なくとも前後２箇所を設置用の台車２１上に順次載せ替え、この台車２１により所定の設置箇所に移動させ設置する。すなわち、給水加熱器１を復水器上部本体２ａ近くまで搬送した後、浮上搬送システム１４を操作して、給水加熱器１の外周部に設けた前部の台車受け金物２２を、復水器上部本体２ａの内部に設置した走行レール２４の前部側の台車２１上に位置合わせする。その後、前部側浮上搬送ユニット１４ｃの空気圧を減じて給水加熱器１の前部の台車受け金物２２を台車２１上に固定する。この後、さらに浮上搬送システム１４によって給水加熱器１を復水器上部本体２ａ内に挿入し、後部の台車受け金物２２を後部側の台車２１上に位置合わせした後、固定し、載せ替えを完了する。この状態で、牽引装置２７を操作し、器内の所定の設置位置まで引込む。
【００２５】
なお、給水加熱器１の芯出し及び据付は、ジャッキ受け金物１９を介し、ジャッキ１８及び、横送り装置２０を操作して行なう。
【００２６】
この実施の形態では、建屋側壁の開口６を開放し、屋内搬送用構台７及び屋外搬送用構台８を布設後、側壁開口６から浮上搬送システム１４及び昇降テーブル１０を操作して給水加熱器１を建屋内に搬入する。屋内搬送は、屋内搬送用構台７上を、再度浮上搬送システム１４を操作して行い、復水器上部本体２ａの内部に配置した台車２１に転載し、牽引装置２７で引き込んで据付する。
【００２７】
既設の給水加熱器１の撤去工法は上述と逆の手順で行う。すなわち、建屋内の所定の設置箇所において設置用の台車２１上に設置されている給水加熱器１を、牽引装置２７により、屋内搬送用構台７上に移動させ、この屋内搬送用構台７上に配置された浮上搬送システム１４上に載せ替える。浮上搬送システム１４上に載せ替えられた給水加熱器１は、浮上状態で、図５で示した経路とは反対に開口６に向って搬送され、屋内搬送用構台７の上面と等しい高さに位置させた昇降テーブル１０の上面１０ａ上に搬送され、載置される。
【００２８】
この状態で、昇降テーブル１０の上面１０ａを、屋外搬送用構台８の上面と等しい高さまで上昇させた後、浮上搬送システム１４により開口６を通って浮上状態で屋外搬送用構台８上を所定位置に搬送する。
【００２９】
このように昇降テーブル１０を使用することにより屋外搬送用構台８、及び屋内搬送用構台７とのレベルあわせを容易に行なうことができる。また、浮上搬送システム１４を使用することにより屋外から屋内搬送まで一貫し搬送可能である。さらに、復水器上部本体２ａ内の台車２１への転載も容易に行なうことが可能である。また、機材等の搬入、搬出作業においても有効である。
【００３０】
次に、図６で示す実施の形態を説明する。この実施の形態も、図１で示した実施の形態と同様に、新規の給水加熱器を所定の設置箇所に搬入する場合の搬入方法であるが、図１で示した昇降テーブル１０に代って、図６で示すように、２台のリフトユニット１１ａ，１１ｂからなるリフトシステム１１を用い、これらを開口６に隣接して設けている。
【００３１】
すなわち、この実施の形態においても、建屋の側壁に搬入用の開口６が形成され、建屋外には、この開口６に到る屋外搬送用構台８が設けられ、建屋内には、開口６から所定の設置箇所に通じる屋内搬送用構台７が設けられている。そして、屋内及び屋外における搬送用構台７，８における搬送には浮上搬送システム１４が用いられる。
【００３２】
この実施の形態では、上述したように、建屋内に、開口６に隣接してリフトシステム１１を設けている。このリフトシステム１１は、２台のリフトユニット１１ａ，１１ｂからなる。これらリフトユニット１１ａ，１１ｂは、図７で示すように、門形を成し、その門内にて給水加熱器１の外周部分を吊支するものである。すなわち、リフトシステム１１は、前部側リフトユニット１１ａ、後部側リフトユニット１１ｂ、これらリフトユニット１１ａ，１１ｂ毎に設けられる吊梁１１ｃ、推進ユニット１１ｄ、油圧制御ユニット１１ｅ、ワイヤロープ１１ｆ、レール１１ｇから構成される。
【００３３】
上記各吊梁１１ｃからは、図７（ｂ）で示すように左右一対のワイヤロープ１１ｆが垂下されており、その下端は、給水加熱器１の外周両側から突設されたトラニオン１ｃに掛け付けられる。また、これら各吊梁１１ｃは、油圧制御ユニット１１ｅにより任意の高さに制御される。また、各リフトユニット１１ａ，１１ｂの基部に構成された推進部１１ｄは、レール１１ｇ上に、移動可能に係合している。このレール１１ｇは、開口６近くの屋内搬送用構台７上に、図示横方向（給水加熱器１の建屋に対する搬出入方向）に沿って配置されており、前部側リフトユニット１１ａ及び後部側リフトユニット１１ｂは、上記レール１１ｇに沿う任意の位置に移動させることができる。
【００３４】
上記構成において、円筒状の給水加熱器１を、建屋内の復水器２の上部本体２ａ内に設置する場合、建屋の側壁に搬入用の開口６を形成し、建屋外には、この開口６に到る屋外搬送用構台８を設置する。また、建屋内には、この開口６から所定の設置箇所に通じる屋内搬送用構台７を設置する。
【００３５】
また、開口６に隣接してリフトシステム１１を設置する。この場合、前部側リフトユニット１１ａ及び後部側リフトユニット１１ｂは、図６で示すように、給水加熱器１の搬入方向に沿って所定の間隔で配置する。また、これらの各吊梁１１ｃは、油圧制御ユニット１１ｅにより、給水加熱器１より高い位置に上昇させておく。
【００３６】
この状態で、屋外搬送用構台８上に浮上搬送システム１４を配置し、図示しないクレーンなどにより、その上に給水加熱器１を横向きの状態で載置させる。そして、この浮上搬送システム１４により、給水加熱器１は、屋外搬送用構台８上を開口６に向って浮上搬送される。搬送された給水加熱器１は、図６で示すように開口６を通ってその図示左端部分が建屋内に挿入される。
【００３７】
この位置関係において、前部側リフトユニット１１ａのワイヤロープ１１ｆを、給水加熱器１の後部側（図示左側）の外周部両側に突設されたトラニオン１ｃに掛け付ける。そして、前部側リフトユニット１１ａによりワイヤロープ１１ｆを介して給水加熱器１の後部側を僅かに吊り上げる。この吊り上げにより無負荷状態となった前部側浮上搬送ユニット１４ｃを撤去する。その後、屋外配置の後部側浮上搬送ユニット１４ｄ、及び屋内の前部側リフトユニット１１ａを操作し、給水加熱器１を図８で示す位置まで移動させる。そして、給水加熱器１の後部（図示左側）を、仮受け用の架台２８上にスペーサ２９を介して載置し、仮受けする。この状態で、後部側のトラニオン１ｃを、前部側リフトユニット１１ａから後部側リフトユニット１１ｂのワイヤロープ１１ｆに掛け替える。
【００３８】
この掛け替え操作でフリーになった前部側リフトユニット１１ａを図示右方に移動させ、給水加熱器１の水室部（図示右端部）側のトラニオン１ｃにワイヤロープ１１ｆを掛け、
僅かに吊り上げる。
【００３９】
このように、屋外搬送用構台８上において浮上搬送システム１４により給水加熱器１を開口６に向って搬送し、この開口６を通して建屋内に移動させ、少なくともその一部を建屋内に配置した仮受け用の架台２８上に載置した状態で、前記リフトユニット１１ａ，１１ｂにより、給水加熱器１の外周部分の少なくとも前後２箇所を吊支させている。
【００４０】
この結果、給水加熱器１全体はリフトシステム１１の２台のリフトユニット１１ａ，１１ｂにより水平状態を保って僅かに吊上げられる。この操作により無負荷状態になった後部側搬送ユニット１４ｄ、仮受け用の架台２８、スペーサ２９をそれぞれ撤去する。その後、給水加熱器１の水平状態を保ったままリフトシステム１１を、図示左方に移動させる。そして、給水加熱器１全体が建屋内に搬入された後、図１０で示すように、給水加熱器１を屋内搬送用構台７上の浮上搬送システム１４上に下降させる。
【００４１】
なお、図８で示した状態から給水加熱器１の水平状態を保ったまま、リフトシステム１１を図示左方に移動させようとしたときに、図９で示すように、建屋内の構造物等により、給水加熱器１の水平移動が妨げられる場合がある。このような干渉物、障害物３０がある場合は、図９で示すように、後部側リフトユニット１１ｂ及び前部側リフトユニット１１ａの高さ位置を個別に操作することにより、給水加熱器２１の角度を連続的に変化させ、これら障害物３０を回避しながら所定位置まで移動し、図１０で示すように浮上搬送システム１４上に搭載させることができる。
【００４２】
これ以降は、浮上搬送システム１４により給水加熱器１を再び浮上させ、屋内搬送用構台７上を所定の設置箇所に向って搬送させる。建屋内の搬送ルートは、例えば、図１１に示す通りとなる。この例も、図５の例と同様に、復水器２が３台並設されており、図示の左側の本体上部２ａ内に給水加熱器１を設置する場合は、開口６から搬入された給水加熱器１を、浮上搬送システム１４により、建屋内の支柱等の構造物を避けながら前後が反転するように旋回させ、その水室部が復水器上部本体２ａの開口部２ｂと対向する位置まで搬送する。このようにして給水加熱器１を所定の設置箇所近くに搬送した後、給水加熱器１の少なくとも前後２箇所を設置用の台車２１上に順次載せ替え、この台車２１により所定の設置箇所に移動させ設置する。この設置手順は前述の実施形態と同じであるので説明は省略する。
【００４３】
既設の給水加熱器１の撤去工法は上述と逆の手順で行う。すなわち、所定の設置箇所において設置用の台車２１上に設置されている給水加熱器１を、牽引装置２７により、屋内搬送用構台７上に移動させ、この屋内搬送用構台７上に配置された浮上搬送システム１４上に載せ替える。浮上搬送システム１４上に載せ替えられた給水加熱器は、浮上状態で、図１１で示した経路と反対方向に移動し、開口６に向って搬送される。
【００４４】
そして、開口６に隣接した位置にて前記リフトユニット１１ａ，１１ｂにより給水加熱器１の前後２箇所を吊支して、屋外搬送用構台８の上面よりやや高い高さまで上昇させる。その後、この上昇位置で、リフトユニット１１ａ，１１ｂを図示右側に移動させ、給水加熱器１の図示右端側を、図８で示すように、屋外搬送用構台８上の後部側搬送ユニット１４ｄ上に移載する。この後、給水加熱器１の図示左端部を仮受け用の架台２８上にスペーサ２９を介して載置する。この状態で、フリーとなったリフトユニット１１ａを図示左方に移動し、リフトユニット１１ｂに代って、給水加熱器１の図示左方のトラニオン１ｃを吊支する。
【００４５】
この操作により無負荷となった架台２８及びスペーサ２９を撤去すると共に、屋外搬送用構台８上の後部側搬送ユニット１４ｄを図示右方に移動させ、建屋内にて給水加熱器１の図示左方を吊支したリフトユニット１１ａを図６で示すように図示右方に移動させる。この状態で給水加熱器１の図示左側部分を、屋外搬送用構台８上の前部側浮上搬送ユニット１４ｃ上に載置させる。
【００４６】
このように、建屋内の開口６に隣接した位置にて、リフトユニット１１ａ，１１ｂにより給水加熱器１を、屋外搬送用構台８の上面よりやや高い高さまで上昇させた後、給水加熱器１の少なくとも一部を仮受け用の架台２８で支持させながら、この給水加熱器１を、屋外搬送用構台８上を搬送する浮上搬送システム１４上に載せ替えている。
【００４７】
この後は、浮上搬送システム１４により給水加熱システム１を、開口１６を通って屋外搬送用構台８上の所定位置に搬送する。
【００４８】
このように、リフトシステム１１を使用することにより、屋外設置の浮上搬送システム１４と協調しながら、給水加熱器１を屋内に容易に搬入することが可能である。また、建屋内の引き込み前方に干渉物３０がある場合でも、リフトシステム１１を操作することにより、この干渉物３０を回避しながら引き込み、屋内搬送用の浮上システムへ容易に搭載することができる。
【図面の簡単な説明】
【００４９】
【図１】本発明による給水加熱器搬入方法の一実施の形態を説明する図である。
【図２】同上一実施の形態に用いる浮上搬送システムの構成を説明する図である。
【図３】同上一実施の形態に用いる昇降テーブルを説明する図で、（ａ）は正面図、（ｂ）は右側面図である。
【図４】図１のＡ−Ａ矢視図である。
【図５】同上一実施の形態における建屋内の搬送経路を説明する平面図である。
【図６】本発明による給水加熱器搬入方法の他の実施の形態を説明する図である。
【図７】同上他の実施の形態に用いるリフトシステムの構成を説明する図で、（ａ）は正面図、（ｂ）は右側面図である。
【図８】同上他の実施の形態において、屋外搬送から屋内搬送に切り換える段階を説明する図である。
【図９】同上他の実施の形態において、屋内搬送に切り換える際の、障害物がある場合の動作を説明する図である。
【図１０】同上他の実施の形態において、屋内搬送に切り換った状態を説明する図である。
【図１１】同上他の実施の形態における建屋内の搬送経路を説明する平面図である。
【符号の説明】
【００５０】
１  給水加熱器
1c  トラニオン
２  復水器
２a  復水器上部本体
２b  復水器上部本体開口部
６  側壁開口
７  屋内搬送用構台
８  屋外搬送用構台
１０  昇降テーブル
１０a  上面（テーブル面）
１０b  リフトユニット
１０c  油圧制御ユニット
１１  リフトシステム
１１a  前部側リフトユニット
１１b  後部側リフトユニット
１１c  吊梁
１１d  推進ユニット
１１e  油圧制御ユニット
１１f  ワイヤロープ
１１g  レール
１４  浮上搬送システム
１４a  空気浮上装置
１４b  駆動装置
１４c  前部側浮上搬送ユニット
１４d  後部側浮上搬送ユニット
１４e  同期制御装置
１８  ジャッキ
１９  ジャッキ受け金物
２０  横送り装置
２１  台車
２２  台車受け金物
２３  調整板
２４  復水器内走行用のレール
２５  台車走行用レール
２６  給水加熱器移動用架台
２７  牽引装置
２８  仮受け用の架台
３０  干渉物、障害物
【図１】
2008138997.tif 000003
【図２】
2008138997.tif 000004
【図３】
2008138997.tif 000005
【図４】
2008138997.tif 000006
【図５】
2008138997.tif 000007
【図６】
2008138997.tif 000008
【図７】
2008138997.tif 000009
【図８】
2008138997.tif 000010
【図９】
2008138997.tif 000011
【図１０】
2008138997.tif 000012
【図１１】
2008138997.tif 000013